(57)【特許請求の範囲】
【請求項１】
胸部を覆う前身頃と背中部を覆う後ろ身頃とが一続きの環状生地によって形成された表地と、この表地の前身頃部分に裏側から重ねられ縫合される裏地とを有するブラジャーであって、上記裏地が、表地の前身頃部分に重なる部分Ａと、上記部分Ａの片側縁から延設され内側に折り返されて部分Ａの片方の胸部裏側と重なる部分Ｂと、上記部分Ａの他側縁から延設され内側に折り返されて部分Ａの他方の胸部裏側と重なる部分Ｃとを備え、上記部分Ｂの折り返し端と部分Ｃの折り返し端が、胸部裏側中央で部分Ａと一体的に縫合されて、裏地の部分Ａと部分Ｂ，Ｃとで胸部の左右に袋部が形成され、その左右の袋部にバストパッドが着脱自在に挿入されるようになっていることを特徴とするブラジャー。
【請求項２】
上記前身頃と後ろ身頃の下縁部に沿って、幅広伸縮テープが縫合されている請求項１記載のブラジャー。
【発明の詳細な説明】
【０００１】
【発明の属する技術分野】
本発明は、ブラジャー、特にスポーツ時に着用するのに適したブラジャーに関するものである。
【０００２】
【従来の技術】
従来から、スポーツ用のブラジャーとして、例えば図５に示すような、伸縮性素材からなる成型ブラが用いられている。このものは、左右のカップを吊るすための肩紐や、係合用のフックがなく、身体の激しい動きに追従しやすいという利点を有している。そして、全体を構成する伸縮性素材として、通常、丸編の環状生地が用いられていることから、左右の脇に縫い目がなく、従来の縫い合わせタイプのものに比べて着心地がよいという利点を有している。
【０００３】
【発明が解決しようとする課題】
しかしながら、せっかく脇に縫い目がなく、身体に沿いやすくしているにもかかわらず、左右のバストトップを隠すために、前身頃の胸部分に、裏から布を当てて袋部１，２（斜線で示す）を形成し、そのなかにバストパッド３を挿入保持させるようにしているため、この袋部１，２を形成するために設けられた縫合線Ｐ，Ｑが、内側でごろごろして着用感が悪くなるという問題がある。
【０００４】
本発明は、このような事情に鑑みなされたもので、胸の回りに殆ど縫合線が入っておらず、着用感に優れたブラジャーの提供をその目的とする。
【０００５】
【課題を解決するための手段】
上記の目的を達成するため、本発明は、胸部を覆う前身頃と背中部を覆う後ろ身頃とが一続きの環状生地によって形成された表地と、この表地の前身頃部分に裏側から重ねられ縫合される裏地とを有するブラジャーであって、上記裏地が、表地の前身頃部分に重なる部分Ａと、上記部分Ａの片側縁から延設され内側に折り返されて部分Ａの片方の胸部裏側と重なる部分Ｂと、上記部分Ａの他側縁から延設され内側に折り返されて部分Ａの他方の胸部裏側と重なる部分Ｃとを備え、上記部分Ｂの折り返し端と部分Ｃの折り返し端が、胸部裏側中央で部分Ａと一体的に縫合されて、裏地の部分Ａと部分Ｂ，Ｃとで胸部の左右に袋部が形成され、その左右の袋部にバストパッドが着脱自在に挿入されるようになっているブラジャーを第１の要旨とする。
【０００６】
また、本発明は、そのなかでも、特に、上記前身頃と後ろ身頃の下縁部に沿って、幅広伸縮テープが縫合されているブラジャーを第２の要旨とする。
【０００７】
【発明の実施の形態】
つぎに、本発明の実施の形態について説明する。
【０００８】
図１（ａ）は、本発明の一実施の形態の正面図を示し、図１（ｂ）は、その背面図を示している。このブラジャーは、胸部を覆う前身頃と背中部を覆う後ろ身頃とが一続きの環状生地によって形成された表地１０と、この表地１０の前身頃部分に裏側から重ねられ縫合される裏地１１（図２参照）と、上記前身頃と後ろ身頃の下縁部に沿って環状に縫合される幅２５ｍｍの平ゴムテープ１２とで構成されている。１２ａは、ブランドマークを表示するワッペンである。
【０００９】
上記表地１０に用いられる環状生地は、丸編によって形成されており、その下部（図中、縦線で示す部分Ｒ）がリブ編みで構成され、前身頃部分の、左右の胸部から肩にかかる部分Ｓが平編で構成されている。そして、前身頃部分のリブ編み部分のうち、中央部分の上部Ｒ′は、ギャザー編によって上下方向にギャザーが寄せられており、これによって、左右の胸部がやや突出して立体感が与えられている。また、後ろ身頃部分の、背中から肩にかかる部分Ｔは、透かし模様の入った柄編になっている。
【００１０】
一方、上記表地１０の前身頃部分の裏側に重ねられる裏地１１は、図１（ａ）を裏返した状態を示す図２において、斜線で示すように、表地１０の前身頃部分と全面的に重なるようになっており、その肩部上端１１ａは、表地１０の前身頃側肩部上端とともに、後ろ身頃側肩部上端と縫合されている。また、裏地１１の襟ぐり部１３と、左右の腕ぐり部１４，１５は、共生地からなるテープを用いたバインダー処理によって、内側に平ゴムテープを挟み込んだ状態で、表地１０の襟ぐり部、腕ぐり部とそれぞれ一体的に縫合されている。さらに、裏地１１の下縁部は、表地１０の前身頃部分の下縁部とともに、前記平ゴムテープ１２と一体的に縫合されている。
【００１１】
ただし、上記裏地１１は、その展開図である図４に示すように、表地１０の前身頃部分に直接重なる部分Ａと、この部分Ａの片側縁から延設され内側に折り返されて部分Ａの片方の胸部裏側と重なる部分Ｂと、上記部分Ａの他側縁から延設され内側に折り返されて部分Ａの他方の胸部裏側と重なる部分Ｃとを備えている。そして、上記部分Ｂの折り返し端１６と部分Ｃの折り返し端１７とが、部分Ａの胸部裏側中央で重ね合わせられ、この重なり部分が、図２のＸ−Ｘ′断面図である図３に示すように、部分Ａと一体的に縫合されている（縫合線Ｕ）。なお、この縫合は、平二本針両振りステッチによって行われている。また、裏地１１の部分Ｂ，Ｃの、襟ぐり部１３と腕ぐり部１４，１５に挟まれた上端縁１８，１９は、図２に示すように、オーバーロックミシンにより端部処理が施されており、部分Ａとは縫合されていない。
【００１２】
このように、裏地１１において、部分Ｂ，Ｃが折り返されて部分Ａと重なり、襟ぐり部１３と腕ぐり部１４，１５が表地１０と縫合され、下縁部が表地１０とともに平ゴムテープ１２と縫合され、さらに部分Ｂ，Ｃの折り返し端１６，１７が互いに重ね合わせられて部分Ａと一体的に縫合されているため、胸部の左右に、裏地１１によって袋部が形成されることとなる。そこで、部分Ｂ，Ｃの、未縫合の上端縁１８，１９から、上記左右の袋部内に、カップ状に立体成型されたバストパッド２０を挿入することにより、カップ付のブラジャーとなる。
【００１３】
上記ブラジャーによれば、左右の脇に縫合線がなく、胸部にも、バストパッド２０保持用の袋部を形成するための縫合線がない。ただ、部分Ｂ，Ｃの折り返し端１６，１７を縫合する縫合線Ｕが、胸部の内側中央に入っているが、この部分は、左右の乳房の間の谷間に位置決めされるため、着用時に何ら違和感を生じることがない。したがって、このブラジャーは、バストパッド２０が着脱自在に挿入可能であるにもかかわらず、胸の回りにそのための縫合線が殆ど入っておらず、非常に優れた着用感が得られる。そして、このブラジャーは、全体が伸縮性編地で構成されており、バストパッド２０が乳房に押し付けられることがないため、身体を激しく動かすスポーツ時等に着用するのに最適である。
【００１４】
なお、本発明のブラジャーは、表地１０として、丸編等によって形成された環状生地を用いることが前提であるが、それ以外の、表地１０および裏地１１の編み方や素材、縁部処理の方法等は任意に設定することができる。
【００１５】
また、前身頃と後ろ身頃の下縁部に環状に取り付けた平ゴムテープ１２も、必ずしも必要ではなく、前身頃および後ろ身頃の下部を、比較的圧縮力の強いリブ編み等に設定したり、所定段数だけウレタン弾性糸等を編み込んだりするようにしてもよい。いずれにせよ、ブラジャー下縁部に一定の伸縮性を付与し、ブラジャーが上方にずり上がるのを防止した構造になっていることが好ましい。
【００１６】
【発明の効果】
以上のように、本発明のブラジャーは、左右の脇に縫合線がなく、胸部の回りにも、左右の乳房の間の谷間に入る縦１本の縫合線以外には、全く縫合線がない。したがって、このブラジャーは、胸部の左右内側に設けられた袋部内にバストパッドが着脱自在に挿入可能であるにもかかわらず、余分な縫合線が入っておらず、非常に優れた着用感を備えている。そして、バストパッドが押し付けられることがなく、全体の自由度が高いため、激しく身体を動かすスポーツ時等に着用するのに最適である。
【図面の簡単な説明】
【図１】（ａ）は本発明の一実施例を示す正面図、（ｂ）はその背面図である。
【図２】上記図１（ａ）を裏返した状態を示す説明図である。
【図３】上記図２のＸ−Ｘ′断面図である。
【図４】上記実施例に用いる裏地の展開図である。
【図５】従来のスポーツ用ブラジャーの一例を示す正面図である。
【符号の説明】
１０  表地
１１  裏地
２０  バストパッド
Ａ，Ｂ，Ｃ  部分
【図１】
0003876130.tif 000002
【図２】
0003876130.tif 000003
【図３】
0003876130.tif 000004
【図４】
0003876130.tif 000005
【図５】
0003876130.tif 000006